(57)【特許請求の範囲】
【請求項１】
互いに嵌め合わせ可能な甲ケース体と乙ケース体とで開閉可能に構成され且つ内部に基板を格納可能な基板ケースと、
前記甲ケース体と前記乙ケース体とに跨って設けられ且つ封印シールが貼付されるシール貼付面と、
前記基板ケースに着脱自在に装着され且つ前記シール貼付面に貼付された前記封印シールの表面を覆うシールカバーとを備えた
遊技機において、
前記シールカバーを前記基板ケースに装着した状態で、前記シールカバーと前記基板ケースとを外部からの解除操作不能に結合するシールカバー封止手段と、
前記シール貼付面と交差しない状態で前記基板ケース上に装着されるシールカッターとを備え、
前記基板ケース側と前記シールカバー側との少なくとも一方に設けられた封止解除用損壊部を損壊することにより前記シールカバー封止手段による前記シールカバーと前記基板ケースとの結合状態を解除可能であり、
前記シールカバーと前記シールカッターとは、それらが共に前記基板ケース上に装着されたときに互いに外部からの解除操作不能に係合し、前記シールカバーが前記基板ケースから取り外される際に、そのシールカバーの取り外し動作と連動して前記シールカッターが前記シール貼付面に貼付された前記封印シールを損壊するように構成されている
ことを特徴とする遊技機。
【発明の詳細な説明】
【技術分野】
【０００１】
本発明は、パチンコ機、スロットマシン等の遊技機に関するものである。
【背景技術】
【０００２】
パチンコ機、スロットマシン等の遊技機では、各種制御基板等が基板ケースに格納された状態で本体裏側等に装着されている。一般的な基板ケースは、甲ケース体と乙ケース体とを開閉可能に組み合わせることにより略箱形となるように構成されている。
【０００３】
また、遊技機の基板ケースには、内部の制御基板に対する不正行為を防止するため、ＩＣタグシール等の封印シールを甲ケース体と乙ケース体とに跨るように貼付する等の対策が施される場合がある（例えば特許文献１）。
【先行技術文献】
【特許文献】
【０００４】
【特許文献１】特開２００８−２５９７５０号公報
【発明の概要】
【発明が解決しようとする課題】
【０００５】
封印シールには、多数の細かい切り込みを設けるなど、剥がそうとするとその痕跡が残るように各種の加工が施されているが、あくまでも粘着剤によって貼付されているだけであるため、特殊な道具や薬剤等を用いて痕跡を残すことなく剥がされ、再度貼付される可能性を完全に否定することはできない。
【０００６】
本発明は、上記事情に鑑みてなされたものであり、封印シールに痕跡を残すことなく基板ケースが開封される可能性を限りなく小さくできる遊技機を提供することを目的とする。
【課題を解決するための手段】
【０００７】
本発明は、互いに嵌め合わせ可能な甲ケース体３６と乙ケース体３７とで開閉可能に構成され且つ内部に基板２２を格納可能な基板ケース２３と、前記甲ケース体３６と前記乙ケース体３７とに跨って設けられ且つ封印シール４３が貼付されるシール貼付面４２と、前記基板ケース２３に着脱自在に装着され且つ前記シール貼付面４２に貼付された前記封印シール４３の表面を覆うシールカバー４４とを備えた遊技機において、前記シールカバー４４を前記基板ケース２３に装着した状態で、前記シールカバー４４と前記基板ケース２３とを外部からの解除操作不能に結合するシールカバー封止手段１４８と、前記シール貼付面４２と交差しない状態で前記基板ケース２３上に装着されるシールカッター４５とを備え、前記基板ケース２３側と前記シールカバー４４側との少なくとも一方に設けられた封止解除用損壊部１４９を損壊することにより前記シールカバー封止手段１４８による前記シールカバー４４と前記基板ケース２３との結合状態を解除可能であり、前記シールカバー４４と前記シールカッター４５とは、それらが共に前記基板ケース２３上に装着されたときに互いに外部からの解除操作不能に係合し、前記シールカバー４４が前記基板ケース２３から取り外される際に、そのシールカバー４４の取り外し動作と連動して前記シールカッター４５が前記シール貼付面４２に貼付された前記封印シール４３を損壊するように構成されているものである。
【０００８】
また、前記シールカバー４４と前記シールカッター４５とが、前記シール貼付面４２の互いに対向する一対の縁部の外側を経てそれぞれ互いに係合するように構成してもよい。
【００１０】
また、前記甲ケース体３６と前記乙ケース体３７とは、互いに嵌め合わせた状態が保持されるロック状態と保持されないアンロック状態との間で相対的にスライド可能に構成されており、前記シールカバー４４は、前記ロック状態の前記基板ケース２３に装着されることによって前記アンロック状態側へのスライドを阻止するように構成してもよい。
【００１１】
また、前記基板ケース２３上の前記シール貼付面４２の近傍に溝部１２９，１３７ａ，１３７ｂを設け、前記シールカバー４４を前記基板ケース２３に装着したとき、前記シールカバー４４の外縁の少なくとも一部が前記溝部１２９，１３７ａ，１３７ｂ内に収容されるように構成してもよい。
【００１２】
また、前記シールカバー４４の外縁の少なくとも一部に、前記基板ケース２３の外面に沿って前記シール貼付面４２の外側に向けて延設された延設部１４６を、その他の部分に比べて強度が低い低強度部１４７を介して一体に設けてもよい。
【発明の効果】
【００１３】
本発明によれば、基板ケース２３を開封すべくシールカバー４４を取り外すと自動的に封印シール４３の少なくとも一部が切断される。従って、封印シール４３に痕跡を残すことなく基板ケース２３が開封される可能性を限りなく小さくすることができる。
【図面の簡単な説明】
【００１４】
【図１】本発明の一実施形態を示すパチンコ機の全体正面図である。
【図２】同パチンコ機における遊技盤の背面図である。
【図３】同パチンコ機における集球ケース及び主基板ケースの分解斜視図である。
【図４】同パチンコ機における主基板ケースの封止手段及びその近傍の要部分解斜視図である。
【図５】同パチンコ機における主基板ケースの封止手段及びその近傍の要部分解斜視図である。
【図６】同パチンコ機における主基板ケースのシール貼付面及びその近傍の要部分解斜視図である。
【図７】同パチンコ機における主基板ケース、シールカッター及びシールカバーの分解斜視図である。
【図８】同パチンコ機における主基板ケースの背面図及び底面図である。
【図９】同パチンコ機における主基板ケースのＡ−Ａ断面図及びＢ−Ｂ断面図である。
【図１０】同パチンコ機における主基板ケースのＣ−Ｃ断面図である。
【図１１】同パチンコ機における主基板ケースの１回目の封止手順を示す説明図である。
【図１２】同パチンコ機における主基板ケースの１回目の封止手順を示す説明図である。
【図１３】同パチンコ機における主基板ケースへのシールカッター、ＩＣタグシール及びシールカバーの装着手順を示す説明図である。
【図１４】同パチンコ機における主基板ケースに対するシールカバーによる封止の解除手順を示す説明図である。
【図１５】同パチンコ機における主基板ケースからのシールカバーの取り外し手順を示す説明図である。
【図１６】同パチンコ機における主基板ケースの１回目の開封手順を示す説明図である。
【図１７】同パチンコ機における主基板ケースの２回目の封止手順を示す説明図である。
【図１８】同パチンコ機における主基板ケースの２回目の開封手順を示す説明図である。
【発明を実施するための形態】
【００１５】
以下、本発明の実施形態を図面に基づいて詳述する。図１〜図１８は本発明をパチンコ機に採用した一実施形態を例示している。なお、以下の説明における上下左右の方向については、特に基準を示さない限り遊技機本体を前側から見た場合の上下左右をいうものとする。
【００１６】
図１において、遊技機本体１は、矩形状の外枠２と、この外枠２の前側に開閉自在に枢着された前枠３とを備えている。前枠３は左端側の上下一対のヒンジ４を介して外枠２に着脱及び開閉自在に装着されている。前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジにより前枠３に開閉自在に枢支されている。前面開閉板７には、その前側に、発射手段（図示省略）に供給するための遊技球を貯留する貯留皿８、発射手段を作動させるための発射ハンドル９等が設けられている。
【００１７】
遊技盤５の前側には、発射手段から発射された遊技球を案内するガイドレール１０が環状に装着されると共に、そのガイドレール１０内の遊技領域１１には、画像表示手段１２を備えたセンターケース１３の他、通過ゲート１４、開閉式入賞手段１５、大入賞手段１６、普通入賞手段１７等の各種遊技部品が装着されている。
【００１８】
また、遊技盤５の裏側には、図２に示すように、センターケース１３等の遊技部品を後側から覆う裏カバー２０と集球ケース２１とが上下に配置され、例えば集球ケース２１の背面側に主制御基板（基板）２２が格納された主基板ケース（基板ケース）２３が、裏カバー２０の背面側に演出制御基板２４が格納された演出基板ケース２５、液晶制御基板２６が格納された液晶基板ケース２７が夫々着脱自在に装着されている。集球ケース２１は、開閉式入賞手段１５、大入賞手段１６、普通入賞手段１７等に入賞して遊技盤５の裏側に案内された遊技球を集めて排出口２８から回収通路（図示省略）側へと案内するためのもので、図３に示すように上面側と前面側とが開放した略箱形に形成されており、裏カバー２０の下側に近接して配置され、遊技盤５の裏側に着脱自在に固定されている。
【００１９】
集球ケース２１の背面側には、例えばその略中央に主基板ケース２３を着脱自在に装着可能な主基板ケース装着部３０が設けられ、また例えばその主基板ケース装着部３０の一側には、遊技盤５を前枠３に装着したときに前枠３側のコネクタ（図示省略）に直接結合される遊技盤側コネクタ３１が複数配置されている。主基板ケース装着部３０は、集球ケース２１の背面側に設けられた装着開口部３２と、その装着開口部３２の上下両縁側に沿って配置される装着レール３３と、主基板ケース２３の一端側、例えば左端側を保持する第１保持手段３４と、この第１保持手段３４により一端側が保持された主基板ケース２３の他端側を解除可能に保持する締結つまみ等よりなる第２保持手段３５とを備えている。
【００２０】
この主基板ケース装着部３０に装着される主基板ケース２３は、例えば透明な合成樹脂製で、図３に示すように、互いに嵌め合わせ可能な裏ケース体（甲ケース体）３６と表ケース体（乙ケース体）３７とで開閉可能に構成されている。裏ケース体３６と表ケース体３７とは、互いに嵌め合わせた状態が保持されるロック状態と、保持されないアンロック状態との間で所定方向に相対的にスライド可能に構成されている。
【００２１】
本実施形態では、裏ケース体３６に対して表ケース体３７を左方向にスライドさせることにより、裏ケース体３６側の第１係合部３８が表ケース体３７側の第２係合部３９と係合してロック状態となり（図１１（ｂ）→（ｃ））、そのロック状態から逆に表ケース体３７を右方向にスライドさせることにより、両係合部３８，３９の係合が解除されてアンロック状態となるように構成されている。
【００２２】
なお以下の説明では、主基板ケース２３に関して、ロック状態とアンロック状態との間のスライドの方向（図１１における左右方向）を「スライド方向」、そのスライド方向に直交し且つ主制御基板２２に平行な方向（図１１における紙面に垂直な方向）を「スライド幅方向」というものとする。
【００２３】
また、主基板ケース２３上には、スライド方向の一端側、例えば左端側に、両ケース体３６，３７をロック状態で封止する封止手段４１が配置されており、また例えば下辺側に、両ケース体３６，３７に跨がるシール貼付面４２が設けられ、このシール貼付面４２にＩＣタグシール（封印シール）４３が貼付されると共に、そのＩＣタグシール４３を保護するシールカバー４４と、このシールカバー４４が取り外される際にＩＣタグシール４３を破損させるためのシールカッター４５とが装着されている。
【００２４】
主基板ケース２３内に格納される主制御基板２２は例えば略矩形状で、その一面側には、外縁部近傍に複数のコネクタ４６が配置されると共に、それよりも中央寄りの部分にＣＰＵ，ＲＯＭ，ＲＡＭ等の多数の電子部品４７が配置されている。
【００２５】
また、シール貼付面４２に貼付されるＩＣタグシール４３は、図３に示すように、片面側に粘着面が形成された略矩形状のベースシート４３ａと、このベースシート４３ａ上の所定位置、例えば略中心部に配置されるＩＣチップ４３ｂと、ベースシート４３ａに沿って配置され且つ読み取り機からの磁場を受けたときの電磁誘導作用による起電力をＩＣチップ４３ｂに供給するアンテナ４３ｃとで構成されている。ＩＣチップ４３ｂには、当該パチンコ機の機種、制御基板の製造番号等の管理情報が記録されており、またベースシート４３ａの表面には例えばその管理情報に対応する識別番号その他の識別情報が表示されている。
【００２６】
表ケース体３７は、主制御基板２２の電子部品装着面２２ａ側を覆うもので、図３に示すように電子部品装着面２２ａから離間する方向への膨出状に形成されており、電子部品４７に対応する主膨出部５１と、コネクタ４６に対応する段部５２〜５４とを一体に備え、主制御基板２２の裏面２２ｂ側の略全面が開放されて開口５５を形成している。
【００２７】
主膨出部５１は、主制御基板２２上の電子部品４７との間に十分な距離が確保される程度の略一定の膨出高さに形成され、例えば電子部品装着面２２ａに対向する対向壁５６上には多数の通気孔が形成されている。段部５２〜５４は、それぞれ例えば主制御基板２２の上縁部、右縁部及び下縁部に沿って設けられ、主膨出部５１に対してそれよりも膨出高さが低い段差状に形成されており、電子部品装着面２２ａに対向する対向壁５７上にはコネクタ４６に対応して一又は複数のコネクタ挿通孔５８が形成されている。主制御基板２２は、コネクタ４６をコネクタ挿通孔５８に挿通させつつ開口５５側から表ケース体３７内にはめ込まれ、電子部品装着面２２ａにおけるコネクタ４６の周辺部が段部５２〜５４の対向壁５７に内側から当接した状態でねじ止め等により表ケース体３７に固定されている。
【００２８】
また、表ケース体３７上の例えば封止手段４１とは反対側の縁部、即ち右縁部には、例えば段部５３の対向壁５７が外向き、即ち右向きに延設された延長壁５９と、その延長壁５９の三方の縁部に沿って例えば電子部品装着面２２ａから離間する方向に突設された背面視略コの字型の囲い壁６０とが一体に設けられている。
【００２９】
また、表ケース体３７上には、裏ケース体３６側の第１係合部３８と係合する第２係合部３９が、例えばスライド方向の両端部近傍を含む複数箇所に配置されている。即ち、表ケース体３７の上下の周壁６１，６２（図４〜図６参照）上には、外向き突出状の係合部６３が、スライド方向に所定距離をおいて一又は複数組、例えばスライド方向の略中央及びそれよりも延長壁５９寄りの位置に各１組設けられ、延長壁５９の上下の囲い壁６０ａ，６０ｂ上にも、同様の係合部６４が例えば一組設けられている。また、上縁側における封止手段４１側端部近傍には、上周壁６１とその外側に平行に一体形成された覆い壁６５とに跨がる係合部６６が設けられ、下縁側における封止手段４１側端部近傍には、例えば段部５４の対向壁５７に沿ってスライド方向に凹入する係合溝６７が設けられている。更に、延長壁５９の縦囲い壁６０ｃ上には、例えば裏ケース体３６側に突出する突出片６８が設けられ、その突出片６８上にスライド方向の係合孔６９が形成されている。これら係合部６３，６４，６６，係合溝６７及び係合孔６９が、裏ケース体３６側の第１係合部３８と係合する第２係合部３９を構成している。
【００３０】
また、例えば表ケース体３７の左端面は、封止手段４１が設けられる内封止壁７０となっており、更に例えば表ケース体３７の下縁側には、段部５３，５４間にシール貼付台７１が、例えば主膨出部５１と連続する膨出状に形成されている。このシール貼付台７１には、シール貼付面４２のうちの表ケース側貼付面４２ｂが設けられている。
【００３１】
裏ケース体３６は、主制御基板２２の裏面２２ｂ側を覆うもので、表ケース体３７の開口５５に対応する底壁７２と、この底壁７２のスライド方向に平行な縁部、即ち上下両縁に沿って表ケース体３７側に立設される一対のスライド案内壁７３，７４と、底壁７２のスライド方向一端側の縁部、即ち左縁部に沿って表ケース体３７側に立設される外封止壁７５と、底壁７２のスライド方向他端側の縁部に沿って表ケース体３７側に立設される閉鎖壁７６とを一体に備えている。
【００３２】
上下一対のスライド案内壁７３，７４は、表ケース体３７をアンロック状態とロック状態との間でスライド方向に案内するもので、裏ケース体３６と表ケース体３７とをアンロック状態に嵌め合わせたとき、表ケース体３７側の上下の周壁６１，６２が当該スライド案内壁７３，７４の内側に摺動自在に嵌合するようになっている。外封止壁７５は、表ケース体３７側の内封止壁７０とスライド方向に対応するもので、アンロック状態では内封止壁７０の右側に所定距離離間し、ロック状態に移行したときに内封止壁７０の右側に当接又は近接するようになっており、それら内外の封止壁７０，７５上に封止手段４１が設けられている。また、閉鎖壁７６は当該主基板ケース２３の右端側を閉鎖するもので、アンロック状態のときに表ケース体３７側の段部５３の右縁部に沿って延長壁５９の裏側に略当接し、そのアンロック状態からロック状態に移行する際に、延長壁５９の裏側をその左端部までスライド移動するようになっている。
【００３３】
また、例えば上下一対のスライド案内壁７３，７４上には、表ケース体３７側の係合部６３，６４，６６に対応する係止部７７，７８，７９が、外封止壁７５上には表ケース体３７側の係合溝６７に対応する係合リブ８０が、閉鎖壁７６上には表ケース体３７側の係合孔６９に対応する係合突起８１がそれぞれ一体に設けられており、裏ケース体３６と表ケース体３７とをアンロック状態からロック状態まで相対的にスライドさせたとき、表ケース体３７側の係合部６３，６４，６６，係合溝６７及び係合孔６９が、係止部７７，７８，７９、係合リブ８０及び係合突起８１とそれぞれ係合して、各係合位置において裏ケース体３６と表ケース体３７との分離方向への相対移動を阻止するようになっている。これら係止部７７，７８，７９，係合リブ８０及び係合突起８１が、表ケース体３７側の第２係合部３９と係合する第１係合部３８を構成している。
【００３４】
また、裏ケース体３６の例えば下縁側には、シール貼付面４２の一部を構成する裏ケース側貼付面４２ａが設けられるシール貼付板８３が、例えば表ケース体３７側のシール貼付台７１の下面側に対応して設けられており、更に裏ケース体３６の外周部には、主基板ケース装着部３０の第２保持手段３５が係脱自在に係合する被係合部３５ａが外向きに一体形成されている。
【００３５】
封止手段４１は、主基板ケース２３を１又は複数回（ここでは２回）封止可能に構成されており、図４，図５等に示すように、裏ケース体３６側の外封止壁７５上に一体に設けられる第１，第２結合部９１，９２と、表ケース体３７側の内封止壁７０上に一体に設けられる第１，第２被結合部９３，９４と、例えば表ケース体３７側に着脱自在に装着される封止アダプタ９５とを備えている。そして、第１結合部９１及び第１被結合部９３が、１回目の封止に用いられる第１封止手段４１ａを構成し、第２結合部９２、第２被結合部９４及び封止アダプタ９５が、１回目の封止が解除された後の２回目の封止に用いられる第２封止手段４１ｂを構成している。
【００３６】
第１，第２結合部９１，９２は、ベース部９６と結合ピン９７とを一体に備え、外封止壁７５上に形成された第１，第２収容部９８，９９内に配置されており、１又は複数，例えば各４つの連結部１００ａ〜１００ｄによって外封止壁７５に一体に連結されている。第１，第２収容部９８，９９は、スライド幅方向に一定距離をおいて外封止壁７５上に配置されており、例えば外封止壁７５の表ケース体３７側の縁部から底壁７２側に凹入する矩形切り欠き状に形成されている。なお、外封止壁７５上には、第１，第２収容部９８，９９の縁部を含む外縁部に沿って補強リブ１０１が例えば略一定幅で外向きに突設されている。
【００３７】
第１，第２結合部９１，９２のベース部９６は、例えばスライド方向と直交する矩形板状のベース板９６ａと、このベース板９６ａの外周から例えば一定幅で外向きに突設された周壁部９６ｂとを一体に備え、例えばその外周側に略一定の隙間１０２を空けた状態で第１，第２収容部９８，９９内に収容され、連結部１００ａ〜１００ｄによって支持されている。
【００３８】
連結部１００ａ〜１００ｄは、隙間１０２を横切ってベース部９６の外周側と第１，第２収容部９８，９９の縁部とを連結するもので、例えばベース部９６の４つの角部に対応して設けられており、ニッパー等の切断工具を用いて容易に切断可能な程度の太さで、例えばスライド方向外向きに突出するＵ字状に形成されている。
【００３９】
ベース板９６ａ上には、例えばスライド幅方向に一定距離をおいて一対の結合ピン９７が設けられている。この一対の結合ピン９７は、ベース板９６ａからスライド方向の内向きに突設されるピン軸部９７ａと、このピン軸部９７ａの先端に形成される係合爪９７ｂとで構成されている。ピン軸部９７ａは、例えば断面矩形状に形成され、スライド幅方向に弾性変形可能となっている。また係合爪９７ｂは、例えばピン軸部９７ａに対してスライド幅方向外側に拡幅する略三角形状に形成されている。なお、外封止壁７５上には、例えば第１，第２収容部９８，９９のスライド幅方向両側に、スライド方向内向きに突出する嵌合リブ１０３が一体に設けられている。
【００４０】
第１，第２被結合部９３，９４は、表ケース体３７の内封止壁７０上に形成されたスライド方向の貫通孔９３ａ，９４ａと、この貫通孔９３ａ，９４ａの縁部に沿ってスライド方向内向きに突設された筒状部９３ｂ，９４ｂとで構成され、それぞれ外封止壁７５上の第１，第２結合部９１，９２に対してスライド方向に対応する位置に設けられている。
【００４１】
第１被結合部９３は、貫通孔９３ａのスライド幅方向寸法が、第１結合部９１の一対のピン軸部９７ａにおけるスライド幅方向の寸法と略一致し、且つ筒状部９３ｂのスライド方向の寸法が、第１結合部９１の一対のピン軸部９７ａにおけるスライド方向の寸法と略一致しており、裏ケース体３６と表ケース体３７とがアンロック状態からロック状態に移行する際、第１結合部９１の結合ピン９７が弾性変形しつつ貫通孔９３ａを通過して、結合ピン９７の係合爪９７ｂが筒状部９３ｂの縁部に係合するようになっている（図１２参照）。
【００４２】
また、第１被結合部９３に対するスライド方向内側には、結合ピン９７の係合部分を略覆う結合部カバー１０４が、例えば主膨出部５１の対向壁５６の内面側に内封止壁７０と平行に立設されている。なお、この結合部カバー１０４の裏ケース体３６側の縁部１０４ａには、当該表ケース体３７に装着される主制御基板２２の電子部品装着面２２ａが略当接するようになっている（図９（ｂ），図１０参照）。
【００４３】
一方の第２被結合部９４は、貫通孔９４ａのスライド幅方向寸法が、第２結合部９２の一対の係合爪９７ｂにおけるスライド幅方向の寸法と同じかそれよりも大きく、且つ筒状部９４ｂのスライド方向の寸法が、第２結合部９２の一対のピン軸部９７ａにおけるスライド方向の寸法よりも、後述する封止アダプタ９５の本体部１０７の厚さ分だけ小さく形成されており、裏ケース体３６と表ケース体３７とがアンロック状態からロック状態に移行する際、第２結合部９２の結合ピン９７が弾性変形することなく貫通孔９４ａを通過し、筒状部９４ｂの縁部には係合しないようになっている（図１２参照）。また、第２被結合部９４に対するスライド方向内側には、封止アダプタ９５を装着可能な封止アダプタ装着部１０５が設けられている。なお、封止アダプタ９５は、この封止アダプタ装着部１０５に対して、内封止壁７０に沿って主膨出部５１の対向壁５６側に向けて装着可能となっている。
【００４４】
封止アダプタ９５は、第２被結合部９４を、第１被結合部９３と同様に第２結合部９２の結合ピン９７が係合可能な形状に変換するためのもので、図４，図５等に示すように、貫通孔１０６が形成された例えば矩形板状の本体部１０７と、この本体部１０７の装着方向後端側に設けられた着脱操作部１０８と、例えば着脱操作部１０８上に設けられた固定部１０９とを一体に備えている。本体部１０７に形成された貫通孔１０６は貫通孔９４ａよりも小さく、貫通孔９３ａと同様、スライド幅方向寸法が、第２結合部９２の一対のピン軸部９７ａにおけるスライド幅方向の寸法と略一致している。着脱操作部１０８は、例えば本体部１０７の装着方向後縁部からスライド方向の両側に延設された板状部分で、例えばその着脱操作部１０８のスライド方向外側端部に、例えば主膨出部５１の対向壁５６側に向けて固定部１０９が突設されている。
【００４５】
封止アダプタ装着部１０５は、筒状部９４ｂに対するスライド方向内側に対応して例えば主膨出部５１の対向壁５６上に設けられ且つ封止アダプタ９５の本体部１０７の装着方向先端部が嵌合可能な先端保持部１１１と、例えば筒状部９４ｂの外周面上に設けられ且つ封止アダプタ９５の固定部１０９が嵌合可能な後端保持部１１２とを備え、それら先端保持部１１１と後端保持部１１２とにより、本体部１０７が筒状部９４ｂのスライド方向内側に略当接し、その本体部１０７上の貫通孔１０６が第２被結合部９４側の貫通孔９４ａに対するスライド方向内側に略一致するように封止アダプタ９５を着脱自在に保持するようになっている。なお、封止アダプタ装着部１０５に装着された封止アダプタ９５は、その装着方向後端側の少なくとも一部に主制御基板２２の電子部品装着面２２ａが略当接することにより、封止アダプタ装着部１０５からの脱落が阻止されるようになっている。
【００４６】
封止アダプタ装着部１０５に封止アダプタ９５が装着された状態では、裏ケース体３６と表ケース体３７とがアンロック状態からロック状態に移行する際、第２結合部９２の結合ピン９７が弾性変形しつつ封止アダプタ９５上の貫通孔１０６を通過して、結合ピン９７の係合爪９７ｂが封止アダプタ９５の本体部１０７の縁部に係合するようになっている（図１７参照）。
【００４７】
また、内封止壁７０の内側には、例えば第１，第２被結合部９３，９４の一側に、使用前の封止アダプタ９５を保管するための封止アダプタ保管部１１３が設けられている。この封止アダプタ保管部１１３は、例えば封止アダプタ装着部１０５と同様、主膨出部５１の対向壁５６上に設けられ且つ封止アダプタ９５の本体部１０７の装着方向先端部が嵌合可能な先端保持部１１４と、封止アダプタ９５の固定部１０９が嵌合可能な後端保持部１１５とを備え、それら先端保持部１１４と後端保持部１１５とで封止アダプタ９５を着脱自在に保持するように構成され、またこの封止アダプタ保管部１１３に装着された封止アダプタ９５は、その装着方向後端側の少なくとも一部に主制御基板２２の電子部品装着面２２ａが略当接することにより、封止アダプタ保管部１１３からの脱落が阻止されるようになっている（図１０参照）。もちろん、内封止壁７０には、この封止アダプタ保管部１１３に対応する貫通孔は形成されていない。
【００４８】
また、内封止壁７０上には、外封止壁７５側の嵌合リブ１０３に対応する嵌合溝１１６が、例えば第１，第２被結合部９３，９４のスライド幅方向両側でスライド方向内向きの凹入状に形成されており、裏ケース体３６と表ケース体３７とがアンロック状態からロック状態に移行する際に、嵌合リブ１０３が嵌合溝１１６にそれぞれ嵌合するようになっている。なお、結合部カバー１０４は、第２被結合部９４の両側の嵌合溝１１６，１１６間を接続するように配置されており、主制御基板２２は、その電子部品装着面２２ａが結合部カバー１０４の縁部１０４ａに略当接すると共にその当接部の両端側の縁部が嵌合溝１１６に略当接するようになっている。これにより、主基板ケース２３内の空間を、主制御基板２２、結合部カバー１０４及び嵌合溝１１６によって、第１封止手段４１ａ側の空間とそれ以外の空間とに完全に区分することができ、例えば主膨出部５１の通気孔から針金等を挿入して結合ピン９７の係合を解除する等の不正行為を確実に防止できる。
【００４９】
シール貼付面４２は、図６，図７等に示すように、裏ケース体３６側のシール貼付板８３上に設けられる裏ケース側貼付面４２ａと、表ケース体３７側のシール貼付台７１上に設けられる表ケース側貼付面４２ｂとで構成されている。
【００５０】
シール貼付板８３は、裏ケース体３６の下側のスライド案内壁７４に沿って底壁７２から略垂直に立設されている。このシール貼付板８３には、例えばその左右の両縁部に沿って外面側に保護リブ１２１が突設されており、シール貼付板８３の外面側における保護リブ１２１の内側が裏ケース側貼付面４２ａとなっている。
【００５１】
シール貼付台７１は、表ケース体３７の段部５３，５４の間で主膨出部５１に隣接して設けられ、主膨出部５１の対向壁５６と略平行な対向壁１２２と、表ケース体３７の下周壁６２と略同一平面をなす中央側壁１２３と、スライド方向と略直交する左右一対の側壁１２４とを備えており、裏ケース体３６と表ケース体３７とがロック状態のとき、裏ケース体３６側のシール貼付板８３が中央側壁１２３の外面側に略重なるようになっている（図７，図１１（ｃ）参照）。
【００５２】
シール貼付台７１の対向壁１２２は、中央側壁１２３側の縁部が、シール貼付板８３の端面に被さるように中央側壁１２３よりも外側まで延設され（図１０）、シール貼付板８３側を除く３つの縁部に沿って保護リブ１２６が突設されており、その保護リブ１２６の内側が表ケース側貼付面４２ｂとなっている。そして、略直交する裏ケース側貼付面４２ａと表ケース側貼付面４２ｂとは、例えば表ケース側貼付面４２ｂ側に設けられた屈曲部１２７を介して滑らかに連結されている。なお、シールカバー４４は、主基板ケース２３に対して主制御基板２２に垂直な方向に着脱可能となっており、以下、その着脱方向をシールカバー着脱方向という。
【００５３】
また、シール貼付台７１の対向壁１２２上には、シールカバー４４側の係合突条１２８に対応する係合溝（溝部）１２９と、シールカッター４５を装着するためのカッター装着溝１３０とが設けられている。係合溝１２９は、例えば表ケース側貼付面４２ｂの主膨出部５１側の縁部に沿ってその外側に形成されている。
【００５４】
カッター装着溝１３０は、例えば表ケース側貼付面４２ｂをスライド方向に横切るように形成されており、その両端側は側壁１２４においてスライド方向に開放している。また、カッター装着溝１３０内には、例えば片側の内側面上で且つ長手方向の中央から外れた位置に、シールカバー着脱方向に沿って位置決め溝１３０ａが形成され、更に底面上には一又は複数の係合部１３０ｂ（図９（ｂ）参照）が例えば突起状に形成されている。
【００５５】
また、シール貼付台７１の左右の側壁１２４上には、シールカバー４４側の封止係合部１３２が係合可能な封止被係合部１３３と、シールカバー４４側の封止係合部１３２をシールカバー着脱方向に案内する第１係合案内部１３４と、シールカバー４４側のカッター係合部１３５をシールカバー着脱方向に案内する第２係合案内部１３６とが設けられている。
【００５６】
封止被係合部１３３は、図９（ａ）に示すように一対の側壁１２４上に設けられた突起部で、例えばカッター装着溝１３０とシール貼付板８３との間で表ケース側貼付面４２ｂから所定距離の位置に配置されている。第１係合案内部１３４は、封止係合部１３２に対して、シールカバー着脱方向に直交する方向（ここではスライド幅方向）の両側に設けられた一対の突起部で、一対の側壁１２４上にそれぞれ設けられている。第２係合案内部１３６は、カッター装着溝１３０に対して、シールカバー着脱方向に直交する方向（ここではスライド幅方向）の両側に設けられた一対の突起部で、一対の側壁１２４上にそれぞれ設けられている。
【００５７】
また、裏ケース体３６上及び表ケース体３７上には、シールカバー４４の装着方向先端側の縁部が挿入される挿入溝（溝部）１３７ａ，１３７ｂが設けられている。裏ケース体３６側の挿入溝１３７ａは、シール貼付板８３の外面側、即ち裏ケース側貼付面４２ａに沿って設けられており、シール貼付板８３に略垂直な溝底壁１３８ａ、シール貼付板８３に平行な溝対向壁１３８ｂ、シール貼付板８３に対するスライド方向両側に設けられた一対の溝側壁１３８ｃは裏ケース体３６に一体に形成されている。
【００５８】
また、表ケース体３７側の挿入溝１３７ｂは、シール貼付台７１の左右の側壁１２４の外面側に設けられており、その溝底壁１３９ａは段部５３，５４の対向壁５７の一部により構成され、側壁１２４に対向する溝対向壁１３９ｂは段部５３，５４の対向壁５７上に立設されている。
【００５９】
シールカッター４５は、例えば不透明な合成樹脂製で、図７，図９（ｂ）等に示すように、シール貼付面４２と交差しない状態、即ちシール貼付面４２の外側に突出しない状態でカッター装着溝１３０内に収容可能な細長板状に形成されており、カッター装着溝１３０の外側、即ち表ケース側貼付面４２ｂ側の縁部には例えば鋸歯状の刃部１４１が形成され、また長手方向の両端部には、シールカバー４４側のカッター係合部１３５が係合可能な被係合部１４２が、例えばシール貼付台７１の側壁１２４よりも外側に突出する突起状に形成されている。
【００６０】
またシールカッター４５の一面側には、カッター装着溝１３０側の位置決め溝１３０ａに対応する位置決め突起４５ａが設けられており、この位置決め突起４５ａを位置決め溝１３０ａに合わせつつシールカッター４５を装着することにより、必ず正しい向きでカッター装着溝１３０内に収容されるようになっている。また、シールカッター４５の縁部には、カッター装着溝１３０側の係合部１３０ｂに対応する例えば切り欠き状の被係合部４５ｂが形成されており、シールカッター４５をカッター装着溝１３０に装着したとき、被係合部４５ｂが係合部１３０ｂに係合することにより、シールカッター４５のスライド方向のずれを阻止するようになっている。
【００６１】
シールカバー４４は、透明な合成樹脂製で、図７〜図１０等に示すように、裏ケース側貼付面４２ａに対応する第１シールカバー部１４３と、表ケース側貼付面４２ｂに対応する第２シールカバー部１４４と、封止係合部１３２と、カッター係合部１３５と、シール貼付台７１の側壁１２４に対応する側面カバー部１４５とを一体に備えている。
【００６２】
第１シールカバー部１４３及び第２シールカバー部１４４は、それぞれ裏ケース側貼付面４２ａ、表ケース側貼付面４２ｂの全体を覆う板状で、裏ケース側貼付面４２ａ及び表ケース側貼付面４２ｂの外周に設けられた保護リブ１２１，１２６に当接することにより、その内側のシール貼付面４２に貼付されたＩＣタグシール４３の表面に対して僅かな隙間を空けて近接するようになっている。
【００６３】
また、例えば第２シールカバー部１４４の縁部には、シール貼付台７１側の係合溝１２９に係合する係合突条１２８が一体に設けられており、更にその外側には、表ケース体３７の外面に沿って延設された延設部１４６が、その他の部分に比べて強度が低い低強度部１４７を介して一体に設けられている。この低強度部１４７は、図７，図１０に示すように例えば断面略三角形状の切り込みにより形成されており、延設部１４６に面外方向の力が加えられた場合には容易に破断するようになっている。
【００６４】
封止係合部１３２は、主基板ケース２３側の封止被係合部１３３と共に、当該シールカバー４４を主基板ケース２３に装着した状態で両者を外部からの解除操作が不可能な状態に結合するシールカバー封止手段１４８を構成するもので、例えば第２シールカバー部１４４上に設けられた封止解除用損壊部１４９の内面側から表ケース側貼付面４２ｂの外側を経てシール貼付台７１の左右の側壁１２４に沿ってシールカバー着脱方向に突設されており、その先端部に、封止被係合部１３３に係合可能な係合爪１３２ａが一体に設けられている。
【００６５】
封止解除用損壊部１４９は、シールカバー封止手段１４８による封止を解除するためのもので、例えば第２シールカバー部１４４の一部に形成された外向きの膨出部により構成されており、この封止解除用損壊部１４９をニッパー等の工具を用いて損壊することにより、封止係合部１３２がシールカバー４４から分離し、それによってシールカバー４４と主基板ケース２３との結合状態が解除されるようになっている。
【００６６】
カッター係合部１３５は、カッター装着溝１３０内に装着されたシールカッター４５の被係合部１４２に係合することにより当該シールカバー４４とシールカッター４５とを連動させるもので、例えば第２シールカバー部１４４の内面側から表ケース側貼付面４２ｂの外側を経てカッター装着溝１３０の両端側に沿ってシールカバー着脱方向に突設されており、その先端部に、シールカッター４５の被係合部１４２に係合可能な係合爪１３５ａが一体に設けられている。即ち、シールカバー４４とシールカッター４５とは、シール貼付面４２の互いに対向する一対の縁部の外側を経てそれぞれ互いに係合するように構成されている。なお、カッター係合部１３５の第２シールカバー部１４４上での配置位置は封止解除用損壊部１４９から外れており、封止解除用損壊部１４９を損壊してもカッター係合部１３５についてはシールカバー４４から分離しないようになっている。
【００６７】
側面カバー部１４５は、シール貼付台７１の側壁１２４に略平行な板状で、封止係合部１３２及びカッター係合部１３５の外側で第１シールカバー部１４３及び第２シールカバー部１４４の縁部同士を一体に連結している。なお、この側面カバー部１４５と封止係合部１３２及びカッター係合部１３５との間には、図９に示すように、封止係合部１３２及びカッター係合部１３５がそれぞれ封止被係合部１３３、被係合部１４２に係合する際の弾性変形を許容する程度の隙間が形成されている。
【００６８】
以上のような主基板ケース２３を組み立てる際には、まず表ケース体３７の内側に主制御基板２２を装着・固定し、また封止アダプタ９５を表ケース体３７の封止アダプタ保管部１１３に装着する。そして、その表ケース体３７と裏ケース体３６とを、表ケース体３７側の上下の周壁６１，６２が裏ケース体３６側のスライド案内壁７３，７４の内側に嵌合するようにアンロック状態に嵌め合わせる（図１１（ａ）→（ｂ））。このとき、表ケース体３７側の内封止壁７０と裏ケース体３６側の外封止壁７５とはスライド方向に離間し（図１２（ａ））、また表ケース体３７側のシール貼付台７１と裏ケース体３６側のシール貼付板８３とはスライド方向にずれた状態となる（図１１（ｂ））。
【００６９】
次に、裏ケース体３６と表ケース体３７とを互いに相対的にスライドさせて、表ケース体３７側の係合部６３，６４，６６、係合溝６７及び係合孔６９を、裏ケース体３６側の係止部７７，７８，７９、係合リブ８０及び係合突起８１にそれぞれ係合させ、裏ケース体３６と表ケース体３７とを結合状態でロックする（図１１（ｂ）→（ｃ））。
【００７０】
このとき、表ケース体３７側の内封止壁７０と裏ケース体３６側の外封止壁７５とが互いに接近し、第１結合部９１の結合ピン９７が弾性変形しつつ貫通孔９３ａを通過して、結合ピン９７の係合爪９７ｂが筒状部９３ｂの縁部に係合する（図１２（ａ）→（ｂ））。これにより、アンロック状態側へのスライドが阻止され、裏ケース体３６と表ケース体３７とはロック状態で封止された状態となる。なおこのとき、封止アダプタ９５は封止アダプタ保管部１１３に装着されているため、第２結合部９２の結合ピン９７は、弾性変形することなく貫通孔９４ａを通過し、筒状部９４ｂの縁部には係合しない。
【００７１】
またこのロック状態では、裏ケース体３６側のシール貼付板８３と表ケース体３７側のシール貼付台７１とがスライド方向に一致し（図１１（ｃ））、裏ケース側貼付面４２ａと表ケース側貼付面４２ｂとが繋がって一つのシール貼付面４２が形成された状態となる（図７）。
【００７２】
続いて、シールカッター４５をカッター装着溝１３０内に装着し、そのカッター装着溝１３０を覆うようにシール貼付面４２にＩＣタグシール４３を貼付し、更にシール貼付台７１とシール貼付板８３とを抱き込むようにシールカバー４４を装着する（図１３（ａ）→（ｂ））。即ち、シールカバー４４の両側の封止係合部１３２及びカッター係合部１３５を、それぞれシール貼付台７１の両側の第１係合案内部１３４及び第２係合案内部１３６に沿ってシールカバー装着方向にスライドさせ、封止係合部１３２を封止被係合部１３３に、カッター係合部１３５をシールカッター４５の被係合部１４２にそれぞれ係合させる（図９（ａ），（ｂ））。これにより、シールカバー４４は表ケース体３７に装着された状態で封止され、またシールカバー４４とシールカッター４５とがＩＣタグシール４３をその両面側から挟み込んだ状態で互いに解除不能に係合すると共に、ＩＣタグシール４３の全面がシールカバー４４の第１シールカバー部１４３と第２シールカバー部１４４とで覆われた状態となる。
【００７３】
またこのとき、シールカバー４４は、係合突条１２８が表ケース体３７側の係合溝１２９に係合し、第１シールカバー部１４３及び側面カバー部１４５の装着方向先端側の縁部が裏ケース体３６側の挿入溝１３７ａ及び表ケース体３７側の挿入溝１３７ｂにそれぞれ挿入されるため（図９，図１０，図１３（ｂ））、例えばカッターナイフ等の薄板状の刃物をＩＣタグシール４３とシール貼付面４２との間の粘着層に挿入してＩＣタグシール４３をきれいに剥がし取るような不正行為は不可能である。また、例えばシールカバー４４と主基板ケース２３との隙間をこじ開けようとシールカバー４４の延設部１４６に大きな力を加えた場合には、延設部１４６の付け根の低強度部１４７が破断してその痕跡が残ってしまう。
【００７４】
なお、シールカバー４４はシール貼付台７１とシール貼付板８３とを抱き込むように装着されており、裏ケース体３６側のシール貼付板８３と表ケース体３７側のシール貼付台７１とが共にシールカバー４４上の一対の側面カバー部１４５に挟まれてスライド方向への相対移動が規制される。即ち、このシールカバー４４は主基板ケース２３の封止手段としても機能している。
【００７５】
以上のような手順で組み立てられた主基板ケース２３を検査等のために開封する場合には、例えばまずシールカバー４４を取り外す。即ち、シールカバー４４の封止解除用損壊部１４９をニッパー等で切断し、封止係合部１３２をシールカバー４４から切り離すことにより、シールカバー４４と主基板ケース２３との係合状態を解除し（図１４）、シールカバー４４を、表ケース側貼付面４２ｂから離れる方向にスライドさせて主基板ケース２３から取り外す（図１５（ａ），（ｂ））。
【００７６】
このとき、シールカバー４４と係合しているシールカッター４５もそのシールカバー４４の取り外し動作と連動してカッター装着溝１３０の外側に引き出され、裏ケース側貼付面４２ａを面外方向に通過するため、ＩＣタグシール４３は、図１５（ｂ）に示すようにシールカッター４５の刃部１４１によって切断される。このように、シールカバー４４を取り外す際には自動的にＩＣタグシール４３が切断されるため、主基板ケース２３から痕跡を残すことなくＩＣタグシール４３を剥がし取り、再利用することは不可能である。
【００７７】
シールカバー４４を取り外すことによってシールカバー４４による封止状態及びＩＣタグシール４３による封印状態が解除されると、続いて第１封止手段４１ａによる主基板ケース２３の封止を解除する。即ち、第１結合部９１を外封止壁７５に連結している４つの連結部１００ａ〜１００ｄをニッパー等の切断工具を用いて切断し、第１結合部９１を外封止壁７５、即ち裏ケース体３６から切り離す。これによって主基板ケース２３の封止が解除されるため、表ケース体３７を裏ケース体３６に対してアンロック状態側にスライドさせることにより主基板ケース２３を開封することができる（図１６）。なお、シールカバー４４を取り外す前に、第１封止手段４１ａによる主基板ケース２３の封止を解除してもよい。
【００７８】
本実施形態の主基板ケース２３では、一度開封された後、その痕跡を残した状態でもう一度封止を行うことができるようになっている。以下、その２回目の封止・開封手順について簡単に説明する。なお、シールカバー４４は１回目の開封時に損壊させたため、２回目の封止時にこれを再び装着することはできない。
【００７９】
２回目の封止を行う際には、表ケース体３７の封止アダプタ保管部１１３に装着されていた封止アダプタ９５を取り外し、第２被結合部９４の封止アダプタ装着部１０５に装着する（図１７（ａ））。そして、１回目の封止時と同じように、表ケース体３７と裏ケース体３６とを嵌め合わせ、互いに相対的にスライドさせてロック状態とする。
【００８０】
このとき、表ケース体３７側の内封止壁７０と裏ケース体３６側の外封止壁７５とが互いに接近し、第２結合部９２の結合ピン９７が弾性変形しつつ封止アダプタ９５の貫通孔１０６を通過して、結合ピン９７の係合爪９７ｂが封止アダプタ９５の本体部１０７に係合する（図１７（ａ）→（ｂ））。これにより、アンロック状態側へのスライドが阻止され、裏ケース体３６と表ケース体３７とはロック状態で封止された状態となる。
【００８１】
この２回目の封止を解除する際には、第２結合部９２を外封止壁７５に連結している４つの連結部１００ａ〜１００ｄをニッパー等の切断工具を用いて切断すればよい。これによって主基板ケース２３の封止が解除されるため、１回目の開封時と同様、表ケース体３７を裏ケース体３６に対してアンロック状態側にスライドさせることにより主基板ケース２３を開封することができる（図１８）。
【００８２】
以上説明したように、本実施形態のパチンコ機では、シール貼付面４２と交差しない状態で主基板ケース２３上に装着されるシールカッター４５を備え、シールカバー４４とシールカッター４５とは、それらが共に主基板ケース２３上に装着されたときに互いに外部からの解除操作不能に係合し、シールカバー４４が主基板ケース２３から取り外される際に、そのシールカバー４４の取り外し動作と連動してシールカッター４５がシール貼付面４２に貼付されたＩＣタグシール４３を切断するように構成されているため、主基板ケース２３を開封すべくシールカバー４４を取り外すと自動的にＩＣタグシール４３が切断される。従って、ＩＣタグシール４３に痕跡を残すことなく主基板ケース２３が開封される可能性を限りなく小さくすることができる。
【００８３】
以上、本発明の実施形態について詳述したが、本発明はこれらの実施形態に限定されるものではなく、本発明の趣旨を逸脱しない範囲で種々の変更が可能である。例えば、シールカッター４５とシールカバー４４とを共にＩＣタグシール４３の貼付後に主基板ケース２３に装着可能に構成してもよい。
【００８４】
また実施形態では、シールカバー４４が主基板ケース２３から取り外される際に、そのシールカバー４４の取り外し動作と連動してシールカッター４５がシール貼付面４２上のＩＣタグシール４３を完全に分断するように構成したが、例えばシールカッター４５によってＩＣタグシール４３の一部を損壊するように構成してもよい。この場合、例えばシールカバー４４の取り外し動作の途中でシールカッター４５との係合状態が解除されるように構成してもよい。
【００８５】
シールカッター４５は、細長状の刃部を備えたものに限られるものではなく、例えば錐状の刃部によってＩＣタグシール４３に穿孔するもの等であってもよい。また、シールカッター４５とシールカバー４４とは一体的に動作する必要はなく、両動作が連動していればよい。例えば、シールカバー４４の取り外し動作と連動してシールカッター４５が所定軸回りに揺動し、ＩＣタグシール４３の一部を損壊するように構成してもよい。
【００８６】
主基板ケース２３を封止する封止手段４１の構成は任意であり、例えば裏ケース体３６と表ケース体３７とをロック状態からアンロック状態側への相対移動を阻止できるものであればどのような構成を採用してもよい。また、主基板ケース２３は実施形態のようなスライドロック式のものに限られるものではなく、例えば裏ケース体３６と表ケース体３７の一端側を互いに係合させ、封止手段４１によって他端側の開方向への移動を阻止するように構成してもよい。封止手段４１は１回のみ又は３回以上の封止が可能な構成としてもよい。
【００８７】
本発明は主基板ケース２３以外の基板ケース、例えば演出制御基板２４を格納する演出基板ケース２５、払い出し制御基板を格納する払い出し基板ケース等に適用してもよい。更に、実施形態では本発明をパチンコ機に適用した例を示したが、アレンジボール機、スロットマシン等の各種遊技機において同様に実施可能であることは言うまでもない。
【符号の説明】
【００８８】
２２    主制御基板（基板）
２３    主基板ケース（基板ケース）
３６    裏ケース体（甲ケース体）
３７    表ケース体（乙ケース体）
４２    シール貼付面
４３    ＩＣタグシール（封印シール）
４４    シールカバー
４５    シールカッター
１２９    係合溝（溝部）
１３７ａ  挿入溝（溝部）
１３７ｂ  挿入溝（溝部）
１４６    延設部
１４７    低強度部
１４８    シールカバー封止手段
１４９    封止解除用損壊部
【図１】
0005416241.tif 000002
【図２】
0005416241.tif 000003
【図３】
0005416241.tif 000004
【図４】
0005416241.tif 000005
【図５】
0005416241.tif 000006
【図６】
0005416241.tif 000007
【図７】
0005416241.tif 000008
【図８】
0005416241.tif 000009
【図９】
0005416241.tif 000010
【図１０】
0005416241.tif 000011
【図１１】
0005416241.tif 000012
【図１２】
0005416241.tif 000013
【図１３】
0005416241.tif 000014
【図１４】
0005416241.tif 000015
【図１５】
0005416241.tif 000016
【図１６】
0005416241.tif 000017
【図１７】
0005416241.tif 000018
【図１８】
0005416241.tif 000019